(57)【要約】      （修正有）【課題】コストダウンができ、扉への取り付けが容易な緩衝構造を提供する。【解決手段】硬質材料で形成されて断面寸法が比較的大きい１段目凹部１１中に比較的小さい断面寸法の２段目凹部１２が設けられ、底面が２段目凹部１２よりも小さい断面寸法の開口１３が設けられた２段凹部付部材１と、弾性材料で形成されて２段凹部１０に挿入可能である挿入部材３０とを有し、挿入部材３０は、１段目凹部１１と２段目凹部１２の間の断面寸法を有する外側端部３１と、外側端部３１から開口１３の先まで延伸される延伸部３２と、延伸部３２の先端に設けられ、開口１３を弾性材料を変形させることにより通過可能であるが、開口１３よりも大きな断面寸法を有する係止部３３とを有し、２段凹部付部材１は、補強部２１１、２１２に係合させて取付可能な外形及び寸法で、補強部２１１、２１２に係合させて取付可能な略直角部分を備えた直角形状部２０を含む。【選択図】図４
2011021390.tif 000002
【特許請求の範囲】
【請求項１】
硬質材料で形成されて凹部が設けられた凹部付部材と、
弾性材料で形成されて前記凹部に挿入可能である挿入部材と
を有し、
前記挿入部材は、
他の構造体と接触する外側端部と、
前記外側端部から前記開口の先まで延伸される延伸部と、
前記凹部付部材に係止される係止部と
を有し、
前記凹部付部材は、
薄板鋼板の少なくとも一部の辺端部を内側に１回以上折り曲げることにより形成された補強部に係合させて取付可能な形状部を含む
ことを特徴とする緩衝構造体。
【請求項２】
前記凹部付部材は、
他の構造体と接触して位置出しする突起部が形成される
ことを特徴とする請求項１に記載の緩衝構造体。
【請求項３】
前記凹部付部材の突起部は、
薄板鋼板で形成された開き扉の少なくとも上下２箇所に設けられる戸当たりである
ことを特徴とする請求項２に記載の緩衝構造体。
【請求項４】
前記凹部付部材の突起部は、
薄板鋼板で形成された抽斗式扉の両側部に設けられる振れ止めである
ことを特徴とする請求項２に記載の緩衝構造体。
【発明の詳細な説明】
【技術分野】
【０００１】
本発明は、オフィス用家具、什器等の収納家具に用いられる、薄板鋼板製の扉、抽斗前面板の構成に関する。
【背景技術】
【０００２】
一般的な事務用の収納庫、特に薄板鋼板製の収納庫は、同様に薄板鋼板製の扉を有している。薄板鋼板製の収納庫及び扉は、所定の形状に整えられた鋼板を曲げ加工して製造される。また、主に重量軽減のため、鋼板の厚みを薄く（薄肉化）する一方で、面強度を補強するために、縁辺端部等が内側に複数回折り曲げられて、断面がコの字形や矩形等の強化部が形成されるか又は鋼板製の補強部材が追加される。補強部材は、溶接されるか接着材で接着される（例えば、特許文献１参照）。上記したように補強された鋼板材は、収納庫の各壁面、及び、開口部用の扉の戸板に用いられる。また、そのような収納庫の扉としては、片開き扉や両開き扉だけでなく、例えば、抽斗式収納庫の抽斗前面板も含まれる。
【０００３】
また、薄板鋼板製収納庫の扉を閉める時に発生する衝突音を緩和するため、衝突される開口辺端部又は扉のその衝突部分に、樹脂製やゴム製の別部品の挿入部材又はストッパ部材を設けることが知られている（例えば、特許文献２参照）。また、特許文献２に記載の挿入部材は、扉の枠体等に個別に取り付けられて、接触平面から突出して設けられたクッション部分の変形により扉が衝突した時の応力を吸収していた。すなわち、特許文献２に記載のクッション部分は、アーチ状の突出部がつぶされて変形し、突出幅が圧縮されることで衝突の応力を吸収していた。この挿入部材は、扉の形状によっては、鋼板の扉の自由辺端部や扉の係止ラッチ用穴のエッジ部を補強する機能を有する樹脂製補強部材、又は、人に傷害を与えないようにエッジを覆って人を保護する機能を有する樹脂製保護部材、あるいはその両方の機能を有する補強／保護部材と一体化される場合がある。
【０００４】
また、扉が両開き式の場合には、一方の扉の戸板における召し合わせ側の自由辺端部に上端から下端まで鋼板製の連続した戸当たりが設けられている。この戸当たりは、両開き扉を閉じる時に、戸当たりの無い一方の扉のみをラッチ等で固定するだけで、戸当たりを有する他方の扉を固定できるものであり、さらに戸当たりの無い一方の扉の閉まる位置を他方の扉と面一にするためのストッパとしても機能する。
【０００５】
しかし、戸当たりを戸板の召し合わせ側の自由辺端部の鋼板を外側に曲げることで形成する場合、戸板のその自由辺端部は、鋼板が強度を得やすい内側には曲げられないため、強度不足になって変形しやすかった。特に、召し合わせ側の自由辺端部が長尺の扉の場合は強化部を形成できないため強度不足になりやすかった。その場合、戸当たりに平行で内側に配置される別部品の補強部材を溶接等により追加しなければならなかった。
【０００６】
そのため、戸当たりを戸板の自由辺端部の鋼板を外側に曲げて設けないで、戸板の自由辺端部の鋼板を内側に曲げた部分に、別部品として扉の上端から下端まで連続して嵌め込まれるように形成された樹脂製の長尺の戸当たり部材が提案されている。（例えば、特許文献３の図４の符号１０、及び、特許文献４の図２の符号１１参照）この特許文献３及び４に記載の戸当たり部材は、扉の上端から下端まで連続して嵌め込まれるように形成されているため、嵌め込まれる戸板の自由端との接合面積が広くなり係合や摩擦による固定が容易である。また、特許文献３及び４に記載の戸当たり部材は、戸当たりの無い方の扉を閉める際にストッパとして当たる時の衝撃を受ける面積も上下に広くなって衝撃力が拡散するため、破損しにくくなることから、固定部及び衝撃を受ける部分の厚みを増加させて強度を挙げる必要を少なくできる。
【先行技術文献】
【特許文献】
【０００７】
【特許文献１】特開２００９−１０１０９７号公報
【特許文献２】特開平１０−１８６９７号公報
【特許文献３】実開平６−５６４２４号公報
【特許文献４】特開平８−８６１４１号公報
【発明の概要】
【発明が解決しようとする課題】
【０００８】
しかしながら、特許文献１に記載の従来の補強部材は鋼板製であるので、収納庫及び扉の鋼板の薄肉化により一旦減らした重量の増加率が大きい。そのため、比重が軽い高分子樹脂材料製の補強部材が提案されているが、扉における枠体との対向部のように衝突による衝撃負荷がかかる部分では、鋼板並みの強度と耐久性及び信頼性を得ることが難しかった。また、特許文献１に記載の補強部材は他の用途の部材と兼ねることはなく、単独の補強部材として用いられており、他の部品と共用化して部品点数及び作業工数を減らし、コストダウンすることは考慮されていなかった。
【０００９】
また、特許文献２に記載の挿入部材は、アーチ状の突出部を形成するために、ある程度の厚み寸法が必要である。また、特許文献２に記載の挿入部材では、応力により変形した挿入部材の厚み寸法以下の隙間寸法の位置で、閉まる扉を停止させることはできなかった。従って、開き戸式の扉と枠体との表面を面一にする位置合わせや、両扉の扉同士の表面を面一にする位置合わせをする際に調節幅が限られており、調節しにくかった。
【００１０】
また、特許文献３及び４に記載の戸当たり部材は、各扉の上下寸法に合わせて形成する必要があることから、寸法の異なる収納庫の扉の戸当たり部材と共通化してコストダウンや部品在庫の種類を減らすことはできなかった。また、単純に特許文献３及び４に記載の戸当たり部材の上下寸法を短縮した場合、嵌め込まれる戸板の自由端との接合面積が狭くなり係合や摩擦による固定が外れやすくなり、また、外れない場合には、戸当たりの無い方の扉を閉める際にストッパとして当たる時の衝撃を受ける面積が減ることから変形したり、破損しやすくなっていた。
【００１１】
そこで本発明は、上記の課題を解決するため、他の用途の部材と共通にして部品点数が少なくコストダウンでき、扉への取り付けが容易で、扉が閉まる時の応力を十分に吸収でき、挿入部材の厚み寸法以下の僅かな隙間寸法の位置で閉まる扉を停止させることのできる扉の緩衝構造を提供をすることを目的とする。
【課題を解決するための手段】
【００１２】
上記課題を解決するために、本発明に係る緩衝構造体は、硬質材料で形成されて凹部が設けられた凹部付部材と、弾性材料で形成されて前記凹部に挿入可能である挿入部材とを有し、前記挿入部材は、他の構造体と接触する外側端部と、前記外側端部から前記開口の先まで延伸される延伸部と、前記凹部付部材に係止される係止部とを有し、前記凹部付部材は、薄板鋼板の少なくとも一部の辺端部を内側に１回以上折り曲げることにより形成された補強部に係合させて取付可能な形状部を含むことを特徴とする。
【００１３】
本態様の緩衝構造体によれば、挿入部材は、係止部で支持され、外側端部が部材の表面から突出して浮いた状態となるので、扉が閉まる時の応力を十分に吸収でき、挿入部材の厚み寸法以下の僅かな隙間寸法の位置で閉まる扉を停止させることができる。また、凹部付部材の形状を直角部を含む形状にした場合には、薄板鋼板の角の補強部に係合させて取付が可能になり、それにより薄板鋼板を補強することができる。
【００１４】
好ましくは、前記凹部付部材は、薄板鋼板の前記補強部を他の構造体に対して所定の位置に収めるために、他の構造体と接触して位置出しする突起部が形成されるようにしてもよい。
本態様の緩衝構造体によれば、突起部で位置出しすることで扉の面一や、抽斗の振れ止めを可能にできる。
【００１５】
好ましくは、前記凹部付部材の突起部は、薄板鋼板で形成された開き扉の前記補強部の表面を対向する構造体の表面と面一の位置に収めるための戸当たりであるようにしてもよい。
本態様の緩衝構造体によれば、戸当たりと一体化することで部材数を減らすと共に作業も減らしコストアップを最小限にすることができる。
【００１６】
好ましくは、前記凹部付部材の突起部は、薄板鋼板で形成された抽斗式扉の両側部を対向する枠体に対して所定の位置に納める振れ止めであるようにしてもよい。
本態様の緩衝構造体によれば、振れ止めと一体化することで部材数を減らすと共に作業も減らしコストアップを最小限にすることができる。
【発明の効果】
【００１７】
本発明によれば、部品点数が少なく他の用途の部材と共通にしてコストダウンでき、扉の補強ができ、扉が閉まる時の応力を十分に吸収でき、挿入部材の厚み寸法以下の僅かな隙間寸法の位置で閉まる扉を停止させることのできる扉の緩衝構造を提供することができる。
【図面の簡単な説明】
【００１８】
【図１】本発明の第１の実施形態に係る緩衝構造体の概略構成を示した側面図であり、（ａ）が裏面から見た状態を示し、（ｂ）が側面から見た状態を示し、（ｃ）が表面から見た状態を示す。
【図２】図１の緩衝構造体の主要部である挿入部材の概略動作を示す側面図であり、（ａ）が挿入部材が対向する枠体に衝突する前の状態を示し、（ｂ）が衝突時を示し、（ｃ）が衝突後の安定時を示す。
【図３】図１の２段凹部付部材が取り付けられる薄板鋼板製の開き扉の斜視図である。
【図４】図１の２段凹部付部材を図３の開き扉の角部分に係合させた状態を示す図であり、（ａ）が扉の角部分の上面図、（ｂ）が扉の角部分の裏面図、（ｃ）が（ｂ）のＡ−Ａ’断面図、（ｄ）が（ｂ）のＢ−Ｂ’断面図である。
【図５】図４の開き扉の角部分に係合させた２段凹部付部材を閉じた状態を示す図であり、（ａ）が２段凹部付部材単体の側面図、（ｂ）が図４の開き扉の角部分に係合させた２段凹部付部材を閉じた状態を示す図であり、
【図６】図４（ｃ）の状態の開き扉の一方の上辺端部及び２段凹部付部材を、図５（ｂ）のように枠体の表面に接触させて閉じ、さらに、開き扉の上辺端部の表面の位置を他方の上辺端部の位置と合わせた状態を示す図である。
【図７】本発明の第２の実施形態に係る緩衝構造体の概略構成を示した図であり、（ａ）が抽斗型収納庫の扉を上面から見た断面を示し、（ｂ）が抽斗型収納庫の扉を裏面から見た状態を示す。
【発明を実施するための形態】
【００１９】
＜第１実施形態＞
本発明の緩衝構造体の第１の実施の形態について、図面を用いて詳細に説明する。
本発明の緩衝構造体は、概略で２段凹部付部材１と挿入部材３０から構成され薄板鋼板扉２００の上側角２１０及び下側角２２０近傍に装着される。
【００２０】
２段凹部付部材１は、図１（ａ）〜（ｃ）に示すように、硬質の高分子樹脂材料等で形成され、２段凹部付部材１には２段凹部１０が設けられる。硬質の高分子樹脂としては、例えば、ＡＢＳ樹脂、ポリカーボネート樹脂等を用いることができる。２段凹部１０には、断面寸法が比較的大きい１段目凹部１１中に断面寸法が比較的小さい２段目凹部１２が設けられており、さらに、その２段目凹部１２の底面には、２段目凹部１２よりも小さい断面寸法の開口部１３が設けられている。
【００２１】
本実施形態の２段凹部付部材１における２段凹部１０の断面は略円形であるので、上記した各断面寸法は断面の直径寸法である。この２段凹部１０の断面を円形にすることで形成が容易になり、内部に挿入される挿入部材３０（後述）として標準部品を使用しやすくできる。
【００２２】
本実施形態の２段目凹部１２の断面寸法は、挿入部材３０が衝突による圧縮されることにより膨張した場合の延伸部３２部分の断面寸法以上に形成される。さらに本実施形態の１段目凹部１１の深さ寸法は、挿入部材３０の外側端部３１の厚み寸法と略同等またはそれ以上となるように形成される。これにより外側端部３１が衝突時及びその後の扉閉時に１段目凹部１１に埋まるので、衝突対象である枠体と２段凹部付部材１が装着される扉との隙間が狭いときでも対応することができる。
【００２３】
図１の２段凹部付部材１は、図３の薄板鋼板製の薄板鋼板扉２００における上側角２１０近傍に設置される形状である。一方、図３の薄板鋼板扉２００における下側角２２０に設置される２段凹部付部材１’の形状は、図１の２段凹部付部材１を上下に反転させた形状である。以下、２段凹部付部材１と２段凹部付部材１’で同様な内容又は重複する内容については、２段凹部付部材１についてのみ説明し、符号を読み替えることで同様になる２段凹部付部材１’についての説明はその一部を省略する。
【００２４】
２段凹部付部材１には、略直角な部分を備えた直角形状部２０が含まれる。直角形状部２０は、上辺部２と側辺部３が略直角に接続されることで形成される。従って直角形状部２０は、上辺部２及び側辺部３により形成される略直角な形状部分を有している。２段凹部付部材１の形状を直角形状部２０を含む形状にすることで、薄板鋼板扉２００の上側角２１０の上辺側補強部２１１，側辺上側補強部２１２及び下側角２２０の下辺側補強部２２１，側辺下側補強部２２２に係合させて取付が可能になり、それにより薄板鋼板扉２００を補強することができる。
【００２５】
図３に示すように２段凹部付部材１が取り付けられる薄板鋼板扉２００の上辺端部２０１には上辺側補強部２１１が形成され、薄板鋼板扉２００の下辺端部２０３には下辺側補強部２２１が形成される。同様に、薄板鋼板扉２００の解放側側辺端部２０２には上端側に側辺上側補強部２１２が形成され、下端側に側辺下側補強部２２２が形成される。なお、図３では、上端側の側辺上側補強部２１２と下端側の側辺下側補強部２２２が連続するように記載しているが、途中で分離されていても良い。なお、薄板鋼板扉２００の角２３０及び２４０には、薄板鋼板扉２００に開閉動作をさせるためのヒンジが設置される。
【００２６】
薄板鋼板扉２００には、その上辺端部２０１，解放側側辺端部２０２、下辺端部２０３を内側に２回以上折り曲げることにより上辺側補強部２１１、側辺上側補強部２１２、下辺側補強部２２１、側辺下側補強部２２２が形成される。２段凹部付部材１の上辺部２は上辺側補強部２１１の内側に係合され、２段凹部付部材１の側辺部３は側辺上側補強部２１２の内側に係合される。２段凹部付部材１’の上辺部２（この場合の向きは下側向きであるが説明の便宜上から上辺部とする）は下辺側補強部２２１の内側に係合され、２段凹部付部材１’の側辺部３は側辺下側補強部２２２の内側に係合される。この係合により２段凹部付部材１は、薄板鋼板扉２００の上側角２１０近傍に取り付けられ、２段凹部付部材１’は、薄板鋼板扉２００の下側角２２０近傍に取り付けられる。
【００２７】
２段凹部付部材１の上辺部２は上辺側補強部２１１の内側に係合可能な外形及び寸法であり、２段凹部付部材１の側辺部３は側辺上側補強部２１２の内側に係合可能な外形及び寸法である。同様に２段凹部付部材１’の上辺部２は下辺側補強部２２１の内側に係合可能な外形及び寸法であり、２段凹部付部材１’の側辺部３は側辺下側補強部２２２の内側に係合可能な外形及び寸法である。
【００２８】
上側角２１０は、上辺端部２０１（上辺側補強部２１１）と解放側側辺端部２０２（側辺上側補強部２１２）の各辺が両側から接する角部分であり、下側角２２０は、下辺端部２０３（下辺側補強部２２１）と解放側側辺端部２０２（側辺下側補強部２２２）の各辺が両側から接する角部分である。本実施形態では、２段凹部付部材１は上辺側補強部２１１と側辺上側補強部２１２の両方の辺に係合されるが、充分な強度が得られる場合には何れか一方のみを係合させるようにして２段凹部付部材１を取り付けても良い。
【００２９】
２段凹部付部材１の上辺部２は、上辺側補強部２１１の内側に係合させて取付可能な外形及び寸法に形成される。上辺部２には、さらに、上辺端部２０１に設けられた上辺側係合窓２１３と嵌合する上辺側係合部４が設けられる。２段凹部付部材１の側辺部３は、側辺上側補強部２１２の内側に係合させて取付可能な外形及び寸法に形成される。側辺部３には、さらに、解放側側辺端部２０２に設けられた側辺側係合窓２１４と嵌合する側辺側係合部５が設けられる。一方、２段凹部付部材１’の上辺部２と側辺部３は、各々下辺側補強部２２１と側辺下側補強部２２２に係合させて取付可能な外形及び寸法に形成される。
【００３０】
２段凹部付部材１は、薄板鋼板扉２００の上辺側補強部２１１と側辺上側補強部２１２の上側角２１０と、下辺側補強部２２１と側辺下側補強部２２２の下側角２２０を、他の構造体である薄板鋼板扉３００（図６参照）に対して、所定の位置に納めるために、その薄板鋼板扉３００の表面と接触して位置出しする薄肉戸当たり部６及び厚肉戸当たり部７が設けられる。ここで所定の位置とは薄板鋼板扉２００の表面と薄板鋼板扉３００の表面が面一になる位置である。
【００３１】
本実施形態の薄肉戸当たり部６及び厚肉戸当たり部７は、薄板鋼板扉２００で形成された開き扉の上辺側補強部２１１，側辺上側補強部２１２，下辺側補強部２２１，及び、側辺下側補強部２２２等の表面を、それらと対向する構造体又は枠体の表面と面一の位置に納めるための戸当たりである。従って、薄肉戸当たり部６及び厚肉戸当たり部７で位置出しすることで扉同士や扉と枠体の表面を面一にすることが可能になる。また、薄板鋼板扉２００に緩衝部材と戸当たりを一体化して別途に設ける必要がなくなり、緩衝部材と戸当たりを設置する場合のコストアップを最小限にすることができる。
【００３２】
薄肉戸当たり部６及び厚肉戸当たり部７は、薄板鋼板扉２００の裏面から解放側側辺端部２０２を超えて横方向に突出する突起部であり、薄板鋼板扉３００の裏面と接触して位置出しする。厚肉戸当たり部７は、薄肉戸当たり部６と連続して形成されるが、薄肉戸当たり部６よりも厚みを増加させることで面強度を増加させている。厚肉戸当たり部７は、枠体１００と接触しない位置に形成される。
【００３３】
挿入部材３０は、外側端部３１、延伸部３２及び係止部３３を有し、弾性材料で２段凹部１０に挿入可能な形状に形成される。なお、本実施形態の２段凹部付部材１における挿入部材３０の断面が略円形であるので、その各所の断面寸法を考慮する場合は、各所の断面の直径寸法となる。
【００３４】
挿入部材３０は、扉開放時等の無負荷である場合には係止部３３と係合突起部３４で、２段目凹部１２の底面の開口部１３を挟んで固定される。その結果、外側端部３１が２段凹部付部材１の表面から突出して浮いた状態となる。また、延伸部３２が衝突時に圧縮膨張して変形した場合、１段目凹部１１と２段目凹部１２の境界部分で支持される。
【００３５】
外側端部３１の断面の直径寸法は、１段目凹部１１の断面の直径寸法と２段目凹部１２の断面の直径寸法の間の寸法である。また、上記したように本実施形態の外側端部３１の厚み寸法は、１段目凹部１１の深さ寸法と略同等又はそれ以下となるように形成される。これにより外側端部３１が衝突時及びその後の扉閉時に１段目凹部１１に埋まるので、扉閉時における枠体と２段凹部付部材１が装着される扉との隙間を狭くすることができる。
【００３６】
延伸部３２は、外側端部３１の下端面から開口部１３の先まで延伸される。また、延伸部３２の１段目凹部１１と２段目凹部１２の境界部分に対向する部分の断面寸法は、その境界部分の断面の直径寸法と略同等な寸法を有することで外側端部３１部分を保持する。本実施形態の延伸部３２は、外側端部３１側から係止部３３側に向かって、徐々に断面寸法が減少するように形成される。この断面寸法が減少するテーパ面とすることで、挿入部材３０を成型しやすくでき、円筒状の２段目凹部１２の内部で衝突時に圧縮膨張して変形することが可能になる。また、延伸部３２が衝突時に圧縮膨張して変形した場合の、１段目凹部１１と２段目凹部１２の境界部分で支持が容易となる。
【００３７】
係止部３３は、ゴム等の弾性材料を用いて、延伸部３２の先端に設けられる。係止部３３の断面の直径寸法は、開口部１３より大きいが、その弾性材料を変形させることで開口部１３を通過させることができる寸法に形成される。
【００３８】
図４（ａ）は、図１の２段凹部付部材１を図３の薄板鋼板扉２００で形成された開き扉の角部分に係合させた状態を示す上面図であり、図４（ｂ）は、図４（ａ）の開き扉の状態を示す裏面図であり、図４（ｃ）は、図４（ｂ）のＡ−Ａ’断面図であり、（ｄ）が（ｂ）のＢ−Ｂ’断面図である。
薄板鋼板扉２００の上辺端部２０１内には、２段凹部付部材１の上辺部２が係合され、さらに上辺側係合部４が上辺側係合窓２１３に係合されている。同様に薄板鋼板扉２００の解放側側辺端部２０２内には、２段凹部付部材１の側辺部３に付属する側辺側係合部５が係合されている。
【００３９】
図４（ａ）〜（ｃ）に示したように扉が開いた状態では、挿入部材３０は２段凹部１０及び薄肉戸当たり部６の表面から突出している。挿入部材３０は厚肉戸当たり部７の表面よりは突出しないが、厚肉戸当たり部７部分は扉閉時に枠体１００に衝突しないので挿入部材３０の表面よりも厚肉戸当たり部７が高くなっていても問題は無く、逆に、厚肉戸当たり部７は薄肉戸当たり部６の平面強度を補強することができる。図４（ｄ）に示した側辺部３自体は解放側側辺端部２０２の側辺上側補強部２１２と係合しないが、側辺側係合部５が側辺上側補強部２１２に係合する。このようにして２段凹部付部材１は薄板鋼板扉２００における上側角２１０の上辺側補強部２１１及び側辺上側補強部２１２に係合されて確実に固定され、薄板鋼板扉２００における上側角２１０が補強される。
【００４０】
図５は、図４の開き扉の角部分に係合させた２段凹部付部材１を、枠体に接近させて開口を閉じた状態を示す図であり、（ａ）が２段凹部付部材１単体の側面図、（ｂ）が扉の角部分に係合させた２段凹部付部材１を枠体１００の枠体の表面１０１に対向させた状態を示す側面図である。
図５（ｂ）に示したように本実施形態の上辺部２に設けられた挿入部材３０の外側端部３１の表面は、扉閉時に枠体１００の表面１０１に接近して衝突する。すると、挿入部材３０の外側端部３１は、図２（ａ）から（ｂ）に示したように動作し、最終的に図２（ｃ）の状態になって安定し、扉が閉状態となる。
【００４１】
図６は、図４（ｃ）の状態の開き扉の一方の上辺端部２０１及び２段凹部付部材１を、図５（ｂ）のように枠体１００の表面１０１に接触させて閉じ、さらに、開き扉の上辺端部２０１の表面の位置を他方の上辺端部３０１の位置と合わせた状態を示す図である。
図６の外側端部３１は、枠体１００の表面１０１に当接して薄板鋼板扉２００よりなる開き扉を枠体１００に対する所定の閉位置に配置させる。また、薄肉戸当たり部６は、薄板鋼板扉３００の上辺端部３０１における開く側の角部と対向する位置まで延伸されており、上辺端部３０１の位置を上辺端部２０１と平行に揃えるように留めることができる。図６に示したように本実施形態の薄板鋼板扉３００と薄板鋼板扉２００は略同様な厚み寸法であるので、薄肉戸当たり部６は、上辺端部３０１の位置を上辺端部２０１と揃えることで、薄板鋼板扉３００の表面を薄板鋼板扉２００の表面と面一にすることができる。
【００４２】
このように、本実施形態では、扉が閉まる時の応力を十分に吸収でき、挿入部材の厚み寸法以下の僅かな隙間寸法の位置で閉まる扉を停止させることができる。
【００４３】
また、戸当たりとなる薄肉戸当たり部６及び厚肉戸当たり部７を緩衝構造の部材である２段凹部１０と共通にすることで部品点数を少なくしてコストダウンすることができる。
【００４４】
また、上辺部２及び側辺部３を上辺側補強部２１１及び側辺上側補強部２１２に係合させるのみであるので扉となる薄板鋼板扉２００への取り付けが容易である。
【００４５】
さらに本実施形態では、扉の寸法が異なる場合でも、同一の２段凹部付部材１及び２段凹部付部材１’を薄板鋼板扉２００の上側角２１０及び下側角２２０に取り付けることができる。すなわち、異なるサイズの扉について、緩衝部材及び戸当たり部材を共通化することができる。
【００４６】
また、本実施形態の２段凹部付部材１を薄板鋼板扉２００の各上側角２１０、下側角２２０へ固定する場合は、角部分の両側の辺に係合されるため堅固に固定することができる。
【００４７】
また、薄肉戸当たり部６に加えて厚みを増した厚肉戸当たり部７部を設けることで、両開き式扉における戸当たりが設けられない方の扉を閉める際に、戸当たりを破損しにくくできる。
【００４８】
＜第２実施形態＞
図７（ａ）では、抽斗式の扉抽斗式扉４００を抽斗型収納庫抽斗式収納庫右側面５００に閉じた状態のその抽斗式扉４００の左右端部を示しており、図７（ｂ）は、その裏面（抽斗内部側）から見た左上側端部を示している。
【００４９】
図７（ａ）に示すように抽斗式扉４００の左右端部には２段凹部付部材５１が係合される。左右の２段凹部付部材５１は左右対称な形状の部材であり、左端部の部材を２段凹部付部材５１ａとし、右端部の部材を２段凹部付部材５１ｂとする。
【００５０】
図７（ａ）に示すように抽斗式扉４００の左端部４０３には２段凹部付部材５１ａの側辺部５３が係合され、その上端部前面４０１には２段凹部付部材５１ａの上辺部５２が係合される。一方、抽斗式扉４００の右端部４０２には２段凹部付部材５１ｂの側辺部５３が係合され、その上端部前面４０１には２段凹部付部材５１ｂの上辺部５２が係合される。さらに各上辺部５２には各々上辺側係合部５４が形成されている。そして各上辺側係合部５４が対応する各上辺側係合窓４０５に係合される。
【００５１】
２段凹部付部材５１の突起部である振れ止め部５５は、薄板鋼板薄板鋼板扉２００で形成された抽斗式扉抽斗式扉４００の両側部を対向する枠体抽斗式収納庫右側面５００、抽斗式収納庫左側面６００に対して所定の位置に納める振れ止めであり、抽斗式扉４００が閉じられた場合の抽斗の横揺れを防止する。抽斗式扉４００を有する抽斗が閉じられる時、抽斗式扉４００の左端部４０３の振れ止め部５５は、抽斗式収納庫左側面６００の前面６０１と接触して抽斗式収納庫左側面６００に対して抽斗式扉４００の位置をガイドして所定位置に納めて横揺れしないようにすることができる。同様に抽斗式扉４００の右端部４０２の振れ止め部５５は、抽斗式収納庫右側面５００の前面５０１と接触して抽斗式収納庫右側面５００に対して抽斗式扉４００の位置をガイドして所定位置に納めて横揺れしないようにすることができる。このように振れ止め部５５で位置出しすることにより抽斗を振れ止めすることが可能になる。
【００５２】
また、２段凹部１０及び挿入部材３０の構成、配置、機能等については、扉の形式と衝突される枠体の形状が異なる他は第１実施形態と略同様であるので、符号を読み替えることとして記載を省略する。
【００５３】
このように、本実施形態でも、扉が閉まる時の応力を十分に吸収でき、挿入部材の厚み寸法以下の僅かな隙間寸法の位置で閉まる扉を停止させることができ、振れ止めとなるとなる振れ止め部５５を緩衝構造の部材である２段凹部１０と共通にすることで部品点数を少なくしてコストダウンすることができる。
【００５４】
また、上辺部５２及び側辺部５３を右端部４０２、左端部４０３、及び、＠４０６に係合させるのみであるので扉となる抽斗式扉４００への取り付けが容易である。
【００５５】
さらに本実施形態では、扉の寸法が異なる場合でも、同一の２段凹部付部材５１ａ及び２段凹部付部材５１ｂを抽斗式扉４００の上側の各角に取り付けることができる。すなわち、異なるサイズの扉について、緩衝部材及び戸当たり部材を共通化することができる。
【００５６】
また、本実施形態の２段凹部付部材５１を抽斗式扉４００の各角へ固定する場合は、角部分の両側の辺に係合されるため堅固に固定することができる。
【００５７】
上記した各実施形態中の挿入部材のようなゴム素材の緩衝材は、経年劣化等による硬化や衝撃等により破損した場合、その緩衝材の全体を交換する必要があった。その場合、従来のゴム素材の緩衝材は、通常は単体でキャビネットの開き扉や抽斗の内側に取り付けられていたので、衝撃を受けた時に変形しても取り付けがはずれない取り付け強度を得るために、比較的大きな形状の係合部等が必要であり、全体的にも大きくなっていた。
しかし、本発明によれば、鋼板の強度増強部材や、戸当たり部材、又は、抽斗の振れ止め部材等の一部に緩衝部が設けられているので、緩衝のみの単純な機能を有する比較的小型の挿入部材のみを交換すれば良い。従って、本発明では、ゴム素材等の使用量を少なくでき、製造コストを軽減することができるので、経済的である。
【００５８】
また、本発明の凹部付部材は、上下寸法の異なる各種のキャビネットに共通部品として使用できることに加えて、開き扉や抽斗と開口枠体との間隔仕様が異なる各種のキャビネットに対しても、挿入部材を変更するのみで共通部品として使用することができる。その場合の挿入部材は、間隔に対応する高さ寸法の異なるものを使用する。
また、上下寸法や開き扉や抽斗と開口枠体との間隔寸法の設計を変更する時にも、挿入部材の変更のみで対応することができる。従って本発明では、設計変更による製造コストの上昇を最小限に抑制することができる。
【００５９】
また、各種のキャビネットにおいて開き扉や抽斗の重量によって開閉に必要な緩衝力が大小する場合、本発明では、例えば挿入部材を同じ外形（同寸法）でゴム硬度の異なる材料で形成しておき、それを交換するのみで対応することができる。これは、本発明の挿入部材は、上記したように緩衝機能のみの比較的小型であり、設計変更時に挿入部材のみを変更できることから、硬度の異なる同じ外形の挿入部材を準備しておくことで対応が可能になるものである。従って、本発明では緩衝力が異なる商品についても設計変更を最小限に抑制することができる。
【００６０】
また、上記した実施形態では各凹部付部材に１個の挿入部材を係合する場合を示したが、各凹部付き部材に複数の凹部を設けて、複数の挿入部材を係合できるようにしてもよい。この場合は、複数の挿入部材で大きな緩衝力を得ることができ、また、挿入部材の数を変更することで、緩衝力を調節することができる。
【００６１】
また、一般的な開き扉や抽斗の緩衝材は、相手と接触する突出部分の変形量のみで緩衝していたのに対して、本発明では、挿入部材の接触部である外側端部の変形に加えて、係止部までの延伸部を変形させることができ、さらに、延伸部の断面積を外側端部の断面積よりも小さくして変形しやすくできる。従って、本発明の挿入部材は、従来の緩衝材と比較して、衝突時（扉や抽斗を閉めた時）の圧縮変形を大きくすることができるので、衝突の吸収力に優れ、緩衝力を大きくすることができる。
【００６２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６３】
１、１’  ２段凹部付部材、
２  上辺部、
３  側辺部、
４  上辺側係合部、
５  側辺側係合部、
６  薄肉戸当たり部、
７  厚肉戸当たり部、
１０  ２段凹部、
１１  １段目凹部、
１２  ２段目凹部、
１３  開口部、
２０  直角形状部、
３０  挿入部材、
３１  外側端部、
３２  延伸部、
３３  係止部、
３４  係合突起部、
５１、５１ａ、５１ｂ  ２段凹部付部材、
５２  上辺部、
５３  側辺部、
５４  上辺側係合部、
５５  振れ止め部、
１００  枠体、
２００  薄板鋼板扉、
２０１  上辺端部、
２０２  解放側側辺端部、
２０３  下辺端部、
２１０  上側角、
２１１  上辺側補強部、
２１２  側辺上側補強部、
２１３  上辺側係合窓、
２１４  側辺側係合窓、
２２０  下側角、
２２１  下辺側補強部、
２２２  側辺下側補強部、
３００  薄板鋼板扉、
３０１  上辺端部、
４００  抽斗式扉、
４０１  前面、
４０２  右端部、
４０３  左端部、
４０４  裏面、
４０５  上辺側係合窓、
５００  抽斗式収納庫右側面、
５０１  前面、
６００  抽斗式収納庫左側面、
６０１  前面。
【図１】
2011021390.tif 000003
【図２】
2011021390.tif 000004
【図３】
2011021390.tif 000005
【図４】
2011021390.tif 000006
【図５】
2011021390.tif 000007
【図６】
2011021390.tif 000008
【図７】
2011021390.tif 000009